(57)【特許請求の範囲】
【請求項１】
支柱と、支柱間に架設される縦格子より構成され、該縦格子は両端がそれぞれ支柱より側方に突出する受座に取付けられる上下一対のパイプ状をなす横梁と、上下の横梁を連結する縦桟よりなる高欄における前記横梁を支柱に取付けるための取付方法であって、横梁端から横梁内にボルトを挿入して該ボルトのネジ軸端を横梁端部及び前記受座に予めあけておいたボルト通し孔に通し、ボルトのネジ軸を受座下に突出させたのち、ボルト保持部材を横梁端から横梁内に挿入し、ボルト頭部に係合させてボルトの回り止めをし、その後受座下に突出するボルトのネジ軸にナットを捩じ込み止着することを特徴とする横梁の支柱への取付方法。
【請求項２】
支柱と、支柱間に架設される縦格子より構成され、該縦格子は両端がそれぞれ支柱より側方に突出する受座に取付けられる上下一対のパイプ状をなす横梁と、上下の横梁を連結する縦桟よりなる高欄における、前記横梁端部と受座との取付構造であって、横梁内から横梁端部及び受座にあけられたボルト通し孔に通されたボルトと、横梁端から横梁内に挿入された状態でボルト頭部に対しスライド可能かつ回り止めされて嵌合するボルト保持部材と、受座下に突出するボルトのネジ軸に捩じ込まれるナットよりなることを特徴とする横梁の支柱への取付構造。
【請求項３】
前記ボルト保持部材は、ボルト頭部がスライド可能かつ回り止めされて嵌合する凹形断面の溝を有することを特徴とする請求項２記載の取付構造。
【請求項４】
前記ボルト保持部材は、ボルト頭部がスライド可能かつ回り止めされて嵌合する凹形断面の凹部と、凹部底に形成され、ボルトのネジ軸にスライド可能に挿入されるスリットを有することを特徴とする請求項２記載の取付構造。
【発明の詳細な説明】
【技術分野】
【０００１】
本発明は、支柱と、支柱間に架設される縦格子より構成され、縦格子は上下一対の横梁と、上下の横梁を定間隔で連結する縦桟よりなり、橋梁や高架橋に設置され、車両の路外への逸脱防止のための車両防護柵として、或いは歩行者のガードのために用いられる高欄において、前記横梁を支柱に取付ける取付方法及び取付構造に関する。
【背景技術】
【０００２】
図１は、高欄の一例を示すもので、地中に埋設されるアンカー１を備えた支柱２と、支柱間に架設される縦格子３と、パイプよりなり、支柱２を上端において連結する主横梁４より構成され、縦格子３は上下一対のパイプよりなる横梁５と、横方向に一定間隔で上下の横梁５を連結する縦桟６よりなっている。
【０００３】
図２は、高欄の支柱２を含む要部構造の詳細を示すものであり、図３は図２のＡ−Ａ線での断面を示すもので、支柱２は一定幅の縦板をなす前板２ａ及び後板２ｂと、両板２ａ、２ｂを板幅の中央部で連結する縦板２ｃよりなり、上端には上向きに凹む円弧形の受座７が、また中間部の上下にはそれぞれ縦板２ｃの両側に上向きに凹む円弧形の受座８が横向きに突設され、縦板２ｃ両側の左右の受座８はそれぞれ延長上に位置している。そして受座７には、主横梁４の各端部が継手９により連結されて掛けられ、受座下より主横梁端に捩じ込まれたボルト１１によって止着されており、また縦板２ｃ両側の上下の受座８にはそれぞれ、左右の横梁５の端部が掛けられ、各横梁５の端部はそれぞれ該端部にあけられた上下方向の貫通孔に上方より通したボルト１２の受座下に突出するネジ軸にナット１３を捩じ込むことにより止着されている。
【０００４】
図示する高欄では、ボルト１２の頭部が横梁５の上面に突出しているため美観が損なわれ、また上段の横梁５より突出するボルト頭部は、歩行者の手に触れ易い位置にあるため、手が触れて怪我をするおそれがあった。そのうえ、横梁端を受座８に取着するため、ボルト１２を通し、受座下に突出するネジ軸にナット１３を捩じ込むときには、ボルト１２が連れ周りしないようにボルト頭部を工具を用いて固定しておく必要があり、作業性が悪かった。
【０００５】
下記特許文献１には、ナットや該ナットに捩じ込んだボルトのネジ軸部がパイプ外周に露出しないようにするため、ナットを保持するナット保持部材を用いて該保持部材にナットを保持させた状態で該保持部材をパイプ端よりパイプ内にナットがパイプに予めあけておいたボルト通し孔に合致する位置まで挿入し、防護柵の支柱を貫通させたボルトの端部をパイプのボルト通し孔を通してパイプ内のナットに捩じ込んで止着する方法が開示されている。
【先行技術文献】
【特許文献】
【０００６】
【特許文献１】特開２０１２−４７２３６号
【発明の概要】
【発明が解決しようとする課題】
【０００７】
特許文献１に開示されるものでは、ナットや該ナットに捩じ込まれるボルトのネジ部端はパイプ内に納まり、外部に露出しないため美観が損なわれたり、手に触れて怪我をすることもなく、またナット保持部材に保持されたナットにボルトを捩じ込む際、ナットがナット保持部材に保持されて回り止めされるため、連れ周りすることもないため作業性がよい利点はあるが、パイプ内にナットを挿入して位置決めしたのち、パイプ外からボルトをパイプ内のナットに捩じ込む方法を図１〜図３に示す高欄における横梁５の取付けに適用するのには次のような問題がある。
【０００８】
第１は、下段の横梁５では特に横梁５にあけたボルト通し孔にナット１３のネジ孔が合致しているかどうかの確認が視認しにくいために、ボルト１２のネジ軸端がナット１３のネジ孔に合致するように、ナット保持部材を操作してナット位置を調整するのは手間がかかり、作業性が悪いことである。
【０００９】
第２は、ナット保持部材はナットを回り止めした固定状態で保持し、ナットを所定位置で位置決め後は横梁５端より側方に突出しないように横梁内にとどめておく必要があるが、ナット保持部材は一部でも横梁端より側方に突出していないと、ナットを所定一に位置決めするための操作が困難であることである。ナット保持部材を操作し易いように横梁端より側方に突出させていると、横梁端を受座上に掛ける際にナット保持部材が支柱２の縦板２ｃに当たって押込められ、折角位置決めされたナットがナット保持部材と共に横梁内を移動してしまうようになる。またナット位置決め後、ナット保持部材を抜き出すことができるようにすれば、ナット保持部材は横梁端より突出していてもよいが、そのために、ナットを例えばナット保持部材に形成される長溝内にスライド可能に嵌合させるようにすると、ナット保持部材を抜き出すとき、折角位置決めしたナットが動いたり、ナットのネジ孔の向きが傾いたりするようになる。
【００１０】
本発明は、上記の問題を解消することができる横梁の支柱への取付方法及び取付構造を提供することを目的とする。
【課題を解決するための手段】
【００１１】
請求項１に係る発明は、支柱と、支柱間に架設される縦格子より構成され、該縦格子は両端がそれぞれ支柱より側方に突出する受座に取付けられる上下一対のパイプ状をなす横梁と、上下の横梁を連結する縦桟よりなる高欄における前記横梁を支柱に取付けるための取付方法であって、横梁端から横梁内にボルトを挿入して該ボルトのネジ軸端を横梁端部及び前記受座に予めあけておいたボルト通し孔に通し、ボルトのネジ軸を受座下に突出させたのち、ボルト保持部材を横梁端から横梁内に挿入し、ボルト頭部に係合させてボルトの回り止めをし、その後受座下に突出するボルトのネジ軸にナットを捩じ込み止着することを特徴とする。
【００１２】
請求項２に係る発明は、支柱と、支柱間に架設される縦格子より構成され、該縦格子は両端がそれぞれ支柱より側方に突出する受座に取付けられる上下一対のパイプ状をなす横梁と、上下の横梁を連結する縦桟よりなる高欄における、前記横梁端部と受座との取付構造であって、横梁内から横梁端部及び受座にあけられたボルト通し孔に通されたボルトと、横梁端から横梁内に挿入された状態でボルト頭部に対しスライド可能かつ回り止めされて嵌合するボルト保持部材と、受座下に突出するボルトのネジ軸に捩じ込まれるナットよりなることを特徴とする。
【００１３】
請求項３に係る発明は、請求項２に係る発明において、ボルト保持部材は、ボルト頭部がスライド可能かつ回り止めされて嵌合する凹形断面の溝を有することを特徴とし、
請求項４に係る発明は、請求項２に係る発明において、ボルト保持部材は、ボルト頭部がスライド可能かつ回り止めされて嵌合する凹形断面の凹部と、凹部底に形成され、ボルトのネジ軸にスライド可能に挿入されるスリットを有することを特徴とする。
【発明の効果】
【００１４】
請求項１記載の方法によって形成された取付構造及び請求項２記載の取付構造によると、横梁上にはボルト頭部やナットが露出しないため美観が損なわれたり、手に触れて怪我をするおそれがないこと、横梁端部の支柱受座への取付けは受座下に突出するボルトのネジ軸にナットを捩じ込むことにより行われるが、ボルトは横梁端部及び受座に形成されたボルト通し孔に通すだけでボルトが位置決めされて動きが規制された状態で保持され、この状態でボルト保持部材を横梁端から押し込んでボルトに当たってもボルトが押し込まれることはなく、またボルト保持部材は、ボルトの位置決めのための操作が不要で、ボルトに係合して回り止めを行うだけでよいから、全体を横梁内に押し込んで横梁内に収めることができ、したがって横梁端より突出して取付時に支柱の縦板に支えて取付けに支障を来たすことがないこと、ボルトのネジ軸は受座より突出して視認できるため、縦格子の下段の横梁であっても位置確認が容易で、ナットの捩じ込み作業が容易に行え、しかもナットの捩じ込みはボルト保持部材の押し込みによりボルトがボルト通し孔の範囲内で多少傾いたとしてもナットの捩じ込みに支障を生ずることはないこと等の効果を有する。
【００１５】
請求項３又は４記載のボルト保持部材は、構造が簡単で、横梁内に押し込むだけでボルトの回り止めを行うことができる。
【図面の簡単な説明】
【００１６】
【図１】高欄の正面図。
【図２】支柱を含む高欄の要部の正面図。
【図３】図２のＡ−Ａ線断面図。
【図４】ボルト保持部材の斜視図。
【図５】断面円形のパイプ内に装着されるボルト保持部材でボルトを保持した断面図。
【図６】角パイプ内に装着されるボルト保持部材でボルトを保持した断面図。
【図７】横梁を本発明方法によって取付けた高欄の要部の正面図。
【図８】ボルト保持部材の別の例の斜視図。
【図９】図８に示すボルト保持部材を用いてボルトを保持した断面図。
【図１０】更に別の保持部材を用いてボルトを保持した断面図。
【発明を実施するための形態】
【００１７】
以下、本発明の実施形態について図面により説明する。
図４は、図１〜図３に示す高欄において、支柱２の受座８に縦格子３の横梁５端部を取付ける際に用いるボルト保持部材２１を示すもので、該保持部材２１は、上下に凹形断面の溝２２を有して縦断面がＨ形をなしている。この部材２１の材質は、金属であっても樹脂又は木製であってもよい。溝２２には後述するボルト頭部が遊嵌し、溝２２に沿ってスライドは可能であるが一定量以上の回動はできないようになっている。
【００１８】
ボルト保持部材２１は図５又は図６に示すように断面円形のパイプ又は角パイプよりなる横梁２３、２４内に横梁端より挿入されるが、長さが図５に示す横梁２３の内径より大であるか、或いは図６に示す横梁２４の内側の横幅より大であって、溝２２内に嵌合するボルト２８の頭部２８ａを中心とする回動ができないか、回動量が規制されるようになっていれば、横梁内への挿入状態で上下方向に多少動いてもボルト頭部２８ａの一部にでも引っ掛り、ボルト頭部２８ａより外れない限り支障はない。左右方向の動きはボルト頭部２８ａにより規制されるが、ボルト頭部２８ａとの間の隙間の範囲内で左右方向に若干動いても差し支えない。
【００１９】
前記ボルト保持部材２１を用いた支柱受座８への横梁端部の取付は、次のようにして行われる。
【００２０】
図５に示す横梁２３の端部又は図６に示す横梁２４の端部に予めボルト通し孔２５又は２６をあけておき、横梁２３又は２４端から横梁内に座金２７に通したボルト２８をネジ軸部２８ｂを先頭にしてネジ軸部２８ｂが斜め下向きとなるようにして挿入する。ネジ軸部端がボルト通し孔２５又は２６に当たると、ボルト２８を起しながらネジ軸部２８ｂをボルト通し孔２５又は２６に挿入する。ボルト頭部２８ａが座金２７を介し横梁２３又は２４に当たって支持されたのち、前述のボルト保持部材２１を横梁端から横梁内に押し込み、溝２２内にボルト頭部２８ａを差し込む。このときボルト２８はボルト通し孔２５又は２６に通され、横梁２３又は２４の長手方向の動きは規制されるため、ボルト保持部材２１が押し込まれてもボルト２８は位置ずれを生ずることはない。なお、横梁内へのボルト保持部材２１の押込みは、ボルト保持部材２１が横梁内に収まり、横梁端より突出しない程度まで行われ、ボルト保持部材２１の溝内にボルト頭部２８ａを差込んだボルト２８はまた、溝内での回動が規制され、回り止めされる。
【００２１】
図５及び図６は、以上のようにして横梁内に納まるボルト保持部材２１により回り止めされたボルト２８がネジ軸部２８ｂを横梁２３又は２４より下向きに突出させた状態を示す。
【００２２】
横梁２３又は２４は、ネジ軸部２８ｂを突出させた図５又は図６の状態で、ネジ軸部端を図５に示す円弧状の支柱受座８又は図６に示すプレート状の支柱受座３１のボルト通し孔２９に当てがい、該ボルト通し孔２９に差込んで横梁端を受座８又は３１に掛ける。このときボルト保持部材２１は前述するように横梁内に収まっているため、支柱２の縦板２ｃに支えることはない。
【００２３】
ボルト２８のネジ軸部２８ｂを受座８又は３１のボルト通し孔２９に通したのち、受座８又は３１より下方に突出するネジ軸部２８ｂに座金３３を介しナット３４を捩じ込み締着する。ボルト２８は前述するように一定量以上回動しないように回り止めされているため、ナットの捩じ込み時にボルト２８が連れ回りすることはない。
以上のようにして横梁２３又は２４の支柱受座８への取付けが行われ、図７は図５に示す横架２３の取付状態を示す。
【００２４】
本実施形態によると、ボルト２８はネジ軸部２８ｂを横梁２３又は２４のボルト通し孔２５又は２６に通すだけで位置決めされ、ボルト頭部２８ａがボルト保持部材２１の溝内に嵌挿されるようにボルト保持部材２１を押し込んでもボルト２８は位置ずれを生ずることがない。しかもボルト２８はボルト保持部材２１によって図５及び図６の上下方向の動きが規制され、横梁内に押し込まれてもボルト通し孔２５又は２６より離脱してボルト全体が横梁内に入り込むことはない。またボルト保持部材２１は、ボルト２８の位置決めのための操作をする必要がなく、単にボルト頭部２８ａを溝内のどの位置に位置させてもよいため、横梁内に押し込んで横梁端より突出しないようにすることができ、横梁取付時に支柱縦板２ｃに支えて取付けに支障を生ずることがない。ボルト２８は、溝内で一定量以上の回動が規制され、ボルト保持部材２１も横梁内で一定量以上は回動できないようになっているため、ナットの捩じ込み時にボルト２８が回動するとしても、回動は一定の範囲内で、限度まで回動すると、それ以上の回動は生じないため、ナット３４による締着が支障なく行える。しかもナット３４の捩じ込みはボルト２８のネジ軸部２８ｂが支柱受座８より下方に突出しているため、ボルト２８の位置確認が容易で、ナット３４の捩じ込みも容易に行える。
【００２５】
前記実施形態では、横梁２３又は２４は断面円形のパイプ又は角パイプ状をなしているか、断面楕円形や多角形のパイプであっても適用可能である。
【００２６】
またボルト保持部材２１は縦断面がＨ形をなしているが、下面が開口する該断面凹形であってもよい。この場合、横梁内に挿入されたボルト保持部材２１の上方に空間ができ、ボルト保持部材２１が上方に動くようなことがあってもボルト頭部２８ａより外れない限り問題はない。
【００２７】
図８に示すボルト保持部材３６は、底壁３６ａと、底壁両側の側壁３６ｂよりなり、側壁下部と底壁３６ａとでボルト頭部２８ａが回り止めされて嵌挿される凹形断面の凹部３７を構成し、底壁３６ａには、その一端よりボルト２８のネジ部２８ｂが嵌挿されるスリット３９を形成している。底壁両側の側壁３６ｂは凹部３７を構成する部分より上方が内向きに斜めに傾斜し、窄まっている。これにより図９に示すように、ボルト頭部２８ａの上方への抜け出しを生じないようにしている。
【００２８】
図１０に示すボルト保持部材４１は、図８に示すボルト保持部材３６において、凹部３７を構成するネジ部分より上方の一方（図８の右側）の側壁３６ｂを内向きに折曲げて形成し、ボルト頭部２８ａの上方の動きを規制している。
【００２９】
本実施形態のボルト保持部材３６を用いても、前記ボルト保持部材２１を用いた場合と同様の効果を生ずるほか、ボルト保持部材３６はプレス加工により容易に製作することができる。
【符号の説明】
【００３０】
２・・支柱
４、５、２３、２４・・横梁          
６・・縦桟
７、８、３１・・支柱受座
２１、３６、４１・・ボルト保持部材
２２・・溝
２５、２６、２９・・ボルト通し孔
２８・・ボルト
２８ａ・・ボルト頭部
２８ｂ・・ネジ軸部
３７・・凹部
３９・・スリット
【図１】
0005873761.tif 000002
【図２】
0005873761.tif 000003
【図３】
0005873761.tif 000004
【図４】
0005873761.tif 000005
【図５】
0005873761.tif 000006
【図６】
0005873761.tif 000007
【図７】
0005873761.tif 000008
【図８】
0005873761.tif 000009
【図９】
0005873761.tif 000010
【図１０】
0005873761.tif 000011